(57)【要約】【課題】組み立て性に優れた縦型電動工具を提供する。【解決手段】上下方向を軸線とするモータを収容する本体ハウジング２，３を把持部とする電源コード付きの縦型電動工具であって、本体ハウジング２，３の上部に、モータを作動停止させるためのスイッチ３４と電源コード３５と回路基板３６が取り付けられた配線ベース体３０が取り付けられ、該配線ベース体３０を覆うようにトップカバーが設けられている。トップカバーには、スイッチ３４をオンオフ操作するためのスイッチ操作部材が取り付けられている。【選択図】図１１
2014151397.tif 000002
【特許請求の範囲】
【請求項１】
上下方向を軸線とするモータを収容する本体ハウジングを把持部とする電源コード付きの縦型電動工具であって、
本体ハウジングの上部に、モータを作動停止させるためのスイッチと電源コードと回路基板が取り付けられた配線ベース体が取り付けられ、該配線ベース体を覆うようにトップカバーが設けられていることを特徴とする縦型電動工具。
【請求項２】
トップカバーにスイッチをオンオフ操作するためのスイッチ操作部材が取り付けられている請求項１記載の縦型電動工具。
【請求項３】
本体ハウジングは、モータシャフトの上端部を上側からカバーするエッジカバー部を有し、配線ベース体には、エッジカバー部との干渉を回避するための回避孔が形成されている請求項１又は２記載の縦型電動工具。
【請求項４】
回避孔は上下に貫通する貫通孔であって該回避孔をエッジカバー部が上方に挿通しており、回避孔の回りに回路基板が配置されることにより回路基板がエッジカバー部の上面よりも下側に位置している請求項３記載の縦型電動工具。
【発明の詳細な説明】
【技術分野】
【０００１】
本発明は、モータの軸線が上下方向である縦型電動工具に関するものである。
【背景技術】
【０００２】
この種の縦型電動工具として、本出願人は既に下記特許文献１のような電動トリマを提案している。該電動トリマにおいては、ブラケット（ヘッドカバー）の上部に取り付けられたテールカバー（トップカバー）にスイッチと電源コードが取り付けられている。従って、組み立て時においては、ブラケットにテールカバーを上から被せるようにして取り付けると共にブラケット側のモータと、テールカバーの内側乃至下側に位置しているスイッチや電源コードとを電気的に接続する必要があり、組み立て時の配線作業が煩雑であって改善の余地があった。また、この構成に回路基板を追加しようとした場合には、組み立て時の配線作業が更に煩雑になる。
【先行技術文献】
【特許文献】
【０００３】
【特許文献１】特開平１０−２１７２０３号公報
【発明の概要】
【発明が解決しようとする課題】
【０００４】
それゆえに本発明は上記従来の問題点に鑑みてなされ、組み立て性に優れた縦型電動工具を提供することを課題とする。
【課題を解決するための手段】
【０００５】
本発明は上記課題を解決すべくなされたものであって、本発明に係る縦型電動工具は、上下方向を軸線とするモータを収容する本体ハウジングを把持部とする電源コード付きの縦型電動工具であって、本体ハウジングの上部に、モータを作動停止させるためのスイッチと電源コードと回路基板が取り付けられた配線ベース体が取り付けられ、該配線ベース体を覆うようにトップカバーが設けられていることを特徴とする。
【０００６】
該構成の縦型電動工具にあっては、配線ベース体にスイッチと電源コードと回路基板が取り付けられているので、組み立て時においては、その配線ベース体を本体ハウジングの上部に取り付けてそれをトップカバーで覆うようにすればよい。また、スイッチ等がトップカバーではなく配線ベース体に取り付けられているので、本体ハウジングに配線ベース体を取り付ける際に、本体ハウジング側のモータと配線ベース体との間の配線作業を上側から容易に行うことができ、楽に配線作業を行うことができる。
【０００７】
特に、トップカバーにスイッチをオンオフ操作するためのスイッチ操作部材が取り付けられていることが好ましい。スイッチは配線ベース体に取り付けられているので、トップカバーとの配線処理は不要であり、組み立て時における配線作業が煩雑になることはない。しかも、トップカバーにスイッチ操作部材が取り付けられていることにより、容易にスイッチをオンオフ操作することができる。
【０００８】
また、本体ハウジングは、モータシャフトの上端部を上側からカバーするエッジカバー部を有し、配線ベース体には、エッジカバー部との干渉を回避するための回避孔が形成されていることが好ましく、工具の全高を抑制することができる。
【０００９】
その場合特に、回避孔は上下に貫通する貫通孔であって該回避孔をエッジカバー部が上方に挿通しており、回避孔の回りに回路基板が配置されることにより回路基板がエッジカバー部の上面よりも下側に位置していることが好ましい。回避孔を貫通孔としてエッジカバー部が上方に挿通して突出する構成とすることにより、配線ベース体をより一層低い位置に配置することが可能となって全高を抑制することができる。また、回避孔を貫通孔とすることで回路基板を配置するための平面的なスペースが小さくなるが、回避孔の回りに回路基板を配置することによりそのスペースも確保することができる。
【発明の効果】
【００１０】
以上のように、本発明に係る縦型電動工具にあっては、配線ベース体にスイッチ等の電気部品を取り付けてそれをトップカバーで覆うようにしたので、組み立て時の配線作業が容易になって組み立て性が向上する。
【図面の簡単な説明】
【００１１】
【図１】本発明の一実施形態における縦型電動工具である電動トリマを示す斜視図。
【図２】同電動トリマの正面図。
【図３】図２のＡＥ−ＡＥ要部断面図。
【図４】図３のＡＦ−ＡＦ断面図。
【図５】図４のＡＨ−ＡＨ要部断面図。
【図６】同電動トリマのトップカバーを取り外した状態の平面図。
【図７】図６のＡＫ−ＡＫ断面図。
【図８】同電動トリマのトップカバーの内側を示す要部斜視図。
【図９】同電動トリマのスイッチがＯＮの状態であるときを示し、（ａ）は要部正面図、（ｂ）は要部側面図。
【図１０】同電動トリマのスイッチのＯＮ／ＯＦＦ動作を示す図３のＡＧ−ＡＧ要部断面図であって、（ａ）はスイッチがＯＦＦの状態を示し、（ｂ）はスイッチがＯＮの状態を示す。
【図１１】同電動トリマの組み立て途中の状態を示す一部破断線を含む要部斜視図。
【図１２】同電動トリマの組み立て途中の状態を示す要部斜視図。
【発明を実施するための形態】
【００１２】
以下、本発明の一実施形態にかかる縦型電動工具としての電動トリマについて図１乃至図１２を参酌しつつ説明する。本実施形態における電動トリマは、上下方向の軸線を有するモータ１と、該モータ１を収容する本体ハウジングと、本体ハウジングの上部を覆うトップカバー４と、本体ハウジングの下部が挿入されてそれを所定高さに保持するベース５とを備えている。
【００１３】
本体ハウジングは、モータ１の下側且つ主要部分を覆うモータケース２と、モータ１の上部を覆うヘッドカバー３とを備えている。モータケース２は、図４に示すように全体として上面が開口する有底筒状であって、その底部にはモータシャフト６を支持する軸受け７が配置されている。モータシャフト６の下端部はモータケース２から下方に所定長さ突出しており、その下端部にはチャック８が取り付けられ、該チャック８によって図示しないビットを着脱可能に取り付けることができる。モータケース２の上部開口部はモータケース２の主部に対して大径化されており、その上部開口部を閉塞するようにヘッドカバー３がモータケース２の上側に取り付けられている。
【００１４】
該ヘッドカバー３は、ブラケットとも称される。ヘッドカバー３には側方に開口する左右一対の横孔が形成されていて該横孔にはそれぞれ筒状のブラシホルダ９が挿入され、ブラシホルダ９にブラシ１０が挿入されている。ブラシホルダ９は、押圧固定ネジ１１によってヘッドカバー３に押圧固定されている。押圧固定ネジ１１は、ヘッドカバー３の下側から螺入され、その先端部でブラシホルダ９の外周面を上方に押圧してブラシホルダ９を横孔の壁面に押し付けて固定する。モータ１のステータは図７のようにヘッドカバー３の下部にモータ固定ネジ１２によって下側からネジ止めされている。ヘッドカバー３の上部中央部は上方に膨出した形状とされ、その膨出した部分は上端閉塞下端開口の円筒状であってその内部にはモータシャフト６の上端部を支持するための軸受け１３が内蔵されている。この膨出した部分が、モータシャフト６の上端部を上側からカバーするエッジカバー部１４となっている。このようにモータシャフト６は、モータケース２の底部の軸受け７とヘッドカバー３のエッジカバー部１４の軸受け１３とによって、上下二箇所で支持されている。
【００１５】
モータケース２の下部はベース５に上側から挿入されている。ベース５は、板状部５０と、該板状部５０の上面に取り付けられて一体となった上面開口の筒状部５１とを備えている。筒状部５１は、モータケース２と同様にモータシャフト６を中心とした円筒形状であって、その外周面が作業する際に把持される把持部となる。図１及び図２のように、筒状部５１には上下方向に延びるスリット５２が形成されており、該スリット５２により僅かに拡縮可能となっている。そして、筒状部５１の上部外周面には水平方向に回動するレバー５３が設けられており、該レバー５３を筒状部５１の外周面に接近させるように閉じると筒状部５１は緊縮して縮径し、逆にレバー５３を筒状部５１の外周面から離反させるように開くと筒状部５１は緩んで拡径する。また、筒状部５１の上部外周面には左右一対のフック体５４が水平方向の軸線まわりに回動可能に取り付けられている。該フック体５４は、バネ５５によって、上部が径方向内側に、下部が径方向外側に向けて回動するように付勢されており、フック体５４の上部の内側にはフック部５４ａが形成されている。
【００１６】
一方、モータケース２の主部外周面には図４のように筒状の操作リング２０が外装されている。モータケース２は上方からベース５の筒状部５１に挿入されているが、操作リング２０の下端面がベース５の筒状部５１の上端面に当接することによりその挿入高さが決定する。また、操作リング２０の下端面がベース５の筒状部５１の上端面に当接することによりモータ１の重量がベース５によって支えられている。モータケース２の主部外周面には雌ネジ部２１が形成され、該雌ネジ部２１に操作リング２０の内周面の雄ネジ部２２が螺合している。操作リング２０の下部外周面には環状溝２３が形成され、該環状溝２３には上記左右一対のフック体５４のフック部５４ａが係合している。上記レバー５３を開いて筒状部５１を緩めて拡径させると、フック体５４のフック部５４ａが操作リング２０の環状溝２３に係合している状態で操作リング２０をモータケース２に対して回転させることができる。操作リング２０は、その下端面がベース５の筒状部５１の上端面と摺動しながら回転する。この操作リング２０の回転操作によってモータケース２はベース５に対して上下動し、それに伴いモータシャフト６もベース５に対して上下動する。これによりチャック８によりモータシャフト６に固定されたビットによる被加工材への加工深さを調整することができる。また、フック体５４のフック部５４ａを操作リング２０の環状溝２３から外すと、モータケース２を操作リング２０と共にベース５から上方に抜いて取り外すことができる。
【００１７】
ヘッドカバー３の上側には配線ベース体３０が載せられ、該配線ベース体３０を上方から覆うようにしてトップカバー４が取り付けられている。トップカバー４は下方に開口したカップ形状であって、その下端周縁部がヘッドカバー３の周縁部と対峙している。トップカバー４とヘッドカバー３との上下の間には所定サイズの収容空間が形成されており、該収容空間に配線ベース体３０が収容されている。図５のようにトップカバー４は上側からネジ１５によってヘッドカバー３と共にモータケース２の上部にネジ止めされている。該ネジ１５は本実施形態では図６のように合計四本あり、従って、ヘッドカバー３には合計四本のボス部１６が上方に突設されているが、ボス部１６は配線ベース体３０を回避するようにその外側に位置している。
【００１８】
かかる配線ベース体３０は、全体として上方に開口した浅底型のケース状であって、底面部の周縁部には上方に延びる外周壁部３１が全周のうち一部を除いて周設されている。また、配線ベース体３０の中央部には、ヘッドカバー３のエッジカバー部１４を回避すべく、上下貫通した回避孔３２が形成され、該回避孔３２をヘッドカバー３のエッジカバー部１４が上方に挿通している。このようにヘッドカバー３のエッジカバー部１４が配線ベース体３０の回避孔３２を挿通することにより、配線ベース体３０はヘッドカバー３のエッジカバー部１４の上面よりも下方に位置している。そして、図５のように、ブラシホルダ９の周囲のうち上部におけるヘッドカバー３の肉厚は他の部分に比して局所的に薄肉とされている。また、配線ベース体３０の底面部の下面もブラシホルダ９の上側において局所的に上方に凹んでおり、その底面部の下面の凹形状に対応して底面部の上面も局所的に凸形状とされている。
【００１９】
また、配線ベース体３０の回避孔３２の開口縁部には、上方に延びる内周壁部３３がヘッドカバー３のエッジカバー部１４の周囲を包囲するようにして周設されており、外周壁部３１と内周壁部３３との間に回路基板３６を収容するための収容部が形成されている。図１１にも示しているように内周壁部３３のうちヘッドカバー３のエッジカバー部１４の左右両側に位置する部分は互いに平行且つ前後方向に沿って形成されており、この部分は位置決め用のガイド壁３３ａとして構成されている。ヘッドカバー３のエッジカバー部１４の外周面には部分的に平面とされた平面部１４ａが左右一対形成されており、該左右一対の平面部１４ａがそれぞれ左右一対のガイド壁３３ａと対峙することで、ヘッドカバー３のエッジカバー部１４に対する配線ベース体３０の位置決めとなる。
【００２０】
かかる配線ベース体３０には、モータ１を作動停止させるためのスイッチ３４と、電源コード３５と、回路基板３６と、モータ１のスピードを調節するためのスピードダイヤル３７が取り付けられている。スイッチ３４は、上記外周壁部３１が一部形成されていない箇所である配線ベース体３０の周縁部の前端部に取り付けられている。該スイッチ３４は、ロッカースイッチあるいはシーソースイッチと呼ばれるタイプのものであって、シーソー状に回動する切り替え部３８を備えている。本実施形態においては、スイッチ３４を横向きで配置しており、従って切り替え部３８は水平方向の軸線まわりに上下に回動する。切り替え部３８が下側に回動するとスイッチ３４はＯＦＦとなり、逆に切り替え部３８が上側に回動するとスイッチ３４はＯＮとなる。
【００２１】
スイッチ３４はトップカバー４によって覆われているため外部から切り替え部３８を直接操作することはできない。そのためスイッチ３４をオンオフ操作するためのスイッチ操作部材３９が設けられている。スイッチ操作部材３９はトップカバー４に設けられていてその一部が操作部３９ａとしてトップカバー４の表面に表出している。該操作部３９ａの内面には内側に向けて腕部３９ｂが突出しており、該腕部３９ｂの一方の側面が押圧面として上記スイッチ３４の切り替え部３８の被押圧面に対峙して切り替え部３８を回動させる働きをする。尚、図６及び図８においては、理解を容易にするために、スイッチ操作部材３９をトップカバー４に取り付けた状態ではなく、敢えて配線ベース体３０側に位置させた状態で示している。図６のように平面視においてスイッチ３４はスイッチ操作部材３９の内側であってヘッドカバー３のエッジカバー部１４との間に位置する。
【００２２】
図１０のように腕部３９ｂの一方の側面はスイッチ３４の切り替え部３８側に凸の曲面であり、それに対峙しているスイッチ３４の切り替え部３８の被押圧面は逆に凹の曲面となっている。また、腕部３９ｂの他方の側面には凹部４０が上下一対形成されており、該凹部４０には、腕部３９ｂをスイッチ３４の切り替え部３８側に押圧付勢するための板バネ４１の凸部が係合する。即ち、スイッチ３４の切り替え部３８の側方には切り替え部３８から所定距離離間してバネ取付壁４３が突設されている。該バネ取付壁４３は配線ベース体３０の外周壁部３１の一部から構成され、具体的には、外周壁部３１の周方向の端部に形成されている。板バネ４１は上部で折り返された二つ折りの形状であってバネ取付壁４３に上方から差し込まれている。即ち、板バネ４１の一方の板部はスイッチ３４の切り替え部３８側にあり、板バネ４１の他方の板部はスイッチ３４の切り替え部３８とは反対側にある。板バネ４１の一方の板部は全体として、くの字状に形成されていてその屈曲部４２が凸部となってスイッチ操作部材３９の凹部４０に係合する。板バネ４１の他方の板部はバネ取付壁４３に沿って下方に延びていて、その下端部は略直角に折り曲げられてバネ取付壁４３の下面の下側に位置している。このように板バネ４１の他方の板部の下端部がバネ取付壁４３の下面の下側に位置して係止部として機能することにより、板バネ４１がバネ取付壁４３から上方に離脱することが防止される。尚、ヘッドカバー３のボス部１６の外周面とトップカバー４の内面によっても板バネ４１の所定量を越える動きが抑制される。
【００２３】
スイッチ操作部材３９は上下に往復動作する構成である。スイッチ操作部材３９を下方にスライド移動させるとスイッチ３４はＯＦＦとなり、スイッチ操作部材３９を上方にスライド移動させるとスイッチ３４はＯＮとなる。スイッチ３４がＯＦＦのとき、スイッチ操作部材３９は図１〜図３のようにトップカバー４から上方には突出していない状態にあり、図９のようにスイッチ操作部材３９を上方に引き上げてトップカバー４から上方に突出させるとスイッチ３４がＯＮとなる。トップカバー４の内部においては図１０のような状態となっており、スイッチ操作部材３９が下方に押し下げられてスイッチ３４がＯＦＦの状態では、図１０（ａ）のように、スイッチ操作部材３９の腕部３９ｂも下方位置にあってスイッチ３４の切り替え部３８を下側に押圧して回動させた状態にあり、スイッチ操作部材３９の腕部３９ｂの上側の凹部４０に板バネ４１の屈曲部４２が係合している。スイッチ操作部材３９が上方に引き上げられてスイッチ３４がＯＮの状態では、図１０（ｂ）のようにスイッチ操作部材３９の腕部３９ｂも上方位置にあってスイッチ３４の切り替え部３８を上側に押圧して回動させた状態にあり、スイッチ操作部材３９の腕部３９ｂの下側の凹部４０に板バネ４１の屈曲部４２が係合している。このようにスイッチ操作部材３９の腕部３９ｂに凹部４０を形成してその凹部４０に板バネ４１の屈曲部４２が係合することにより、クリック感が得られると共にスイッチ操作部材３９がＯＮの上方位置及びＯＦＦの下方位置にそれぞれ確実に保持されることになる。また、スイッチ操作部材３９は、スイッチ３４がＯＮのときにトップカバー４から上方に突出しているので、視認性が良く、作業中にモータ１を緊急停止させたいような場合であってもスイッチ操作部材３９を下方に押し込むだけでよいので、素早く且つ簡単にモータ１を停止させることができる。しかも、スイッチ操作部材３９の操作部３９ａはトップカバー４あるいはヘッドカバー３から前方に突出していないので、作業箇所を上方から見る場合において視界の邪魔になることもない。また、スイッチ３４を切り替え部３８が上に位置している縦置きとすると、配線端子によって上下方向の設置スペースが大きくなったり側方に張り出したりすることになるが、スイッチ３４を切り替え部３８が横に位置する横置きとすることで、張り出し部を設ける必要がなくて良好な視認性が確保されると共に上下方向の寸法もコンパクト化できる。
【００２４】
電源コード３５は、配線ベース体３０の後部下面に取り付けられて後方に向けて略水平に延びる。また、回路基板３６は本実施形態においてはモータ１を制御するためのものであって詳細にはフィードバック制御するためのものであり、配線ベース体３０の上側、具体的には底面部の上面あるいは上面から若干上方に浮かせて取り付けられる。回路基板３６は配線ベース体３０の外周壁部３１の内側に配置される。また、配線ベース体３０の回避孔３２をヘッドカバー３のエッジカバー部１４が上方に挿通していて、回路基板３６はヘッドカバー３のエッジカバー部１４を回避する形状とされ、図３，７，８のように回路基板３６はヘッドカバー３のエッジカバー部１４の上面よりも下側に位置している。具体的には、回路基板３６は、後部から前側に向けてヘッドカバー３のエッジカバー部１４を左右に迂回するように二股に分岐していて全体として平面視Ｙ字状であって、二股に分岐する形状とすることでヘッドカバー３のエッジカバー部１４との干渉を防止しつつその面積が確保されている。尚、回路基板３６はエポキシ樹脂等の合成樹脂によって樹脂モールドされている。但し、モータ１の制御を行わない場合には回路基板３６は小さい面積のもので足り、例えば作業箇所を照らすためのライト（図示省略）をモータケース２の下部に備えるような場合には、そのライトのための回路基板３６で足りることから小面積で済む。
【００２５】
スピードダイヤル３７は、図６のようにヘッドカバー３のエッジカバー部１４の後側に位置するように配線ベース体３０に取り付けられている。該スピードダイヤル３７は回避孔３２に位置していて、前後方向に延びる水平方向の軸線まわりに回転する。そして、図１のようにスピードダイヤル３７の上部のみがトップカバー４の上面から露出していて、その露出した上部により回転操作が可能である。
【００２６】
以上のように配線ベース体３０にはスイッチ３４と回路基板３６と電源コード３５とスピードダイヤル３７が取り付けられているのであるが、これらは配線ベース体３０において互いの配線処理がなされている。即ち、スイッチ３４と回路基板３６と電源コード３５とスピードダイヤル３７との間の配線処理は配線ベース体３０において完結している。尚、モータ１との間の配線については以下のようになっている。即ち、図６に示す二本の配線コード６０，６１はモータ１に接続されているものであり、該配線コード６０，６１は回避孔３２を通って上方に延びていてそれぞれの端部は回路基板３６の上面に突設されたコネクタ６２，６３に差し込まれて電気的に接続されている。この二本の配線コード６０，６１によってモータ１と回路基板３６との間の電気配線がなされている。尚、作業箇所を照らすためのライト（図示省略）をモータケース２の下部に備える構成の場合には、そのライトへの通電のための配線コードも必要となり、その配線コードはその上端が回路基板３６に接続されてモータケース２の下部へと延びることとなる。
【００２７】
次に、上記構成の電動トリマの組み立て手順の概要について説明すると、まず、図１１のように本体ハウジングを組み立てた状態でその上に配線ベース体３０を載せる。配線ベース体３０には既にスイッチ３４、スピードダイヤル３７、電源コード３５、回路基板３６といった電気部品が取り付けられて配線処理がなされており、それをユニットとして本体ハウジングにセットする。モータ１からの配線コード６０，６１は合計四本あり、そのうちの二本は一対のブラシ１０にそれぞれ接続されており、残る二本の配線コード６０，６１が図１１のように上方に引き出され、それらを配線ベース体３０の回避孔３２から上方に引き出して、図１２に示すようにそれぞれ回路基板３６のコネクタ６２，６３に接続する。このように配線ベース体３０を本体ハウジングにドッキングさせる際の配線処理は極めて容易である。その後、トップカバー４を上方から被せてネジ止めすればよい。トップカバー４を被せることでスイッチ操作部材３９の腕部３９ｂがスイッチ３４の切り替え部３８と板バネ４１との間に上側から自動的に挿入される。
【００２８】
以上のように、本実施形態における電動トリマにあっては、配線ベース体３０にスイッチ３４、電源コード３５、回路基板３６、スピードダイヤル３７等の電気部品が取り付けられていてトップカバー４との間の配線処理が不要であるので、配線ベース体３０を本体ハウジングの上部に取り付けてトップカバー４を被せればよく、組み立て性に優れている。また、回避孔３２を利用してモータ１からの二本の配線コード６０，６１を上方に引き出すことができるので、配線ベース体３０と本体ハウジング間の配線作業も容易であり、回路基板３６が配線ベース体３０の上側に配置されているので、上方から容易にコネクタ６２，６３に接続したり半田付け等したりして電気配線処理を行うことができる。また、トップカバー４にスイッチ操作部材３９を配置していて本体ハウジングにトップカバー４を取り付けることで自動的にスイッチ操作部材３９をスイッチ３４とドッキングさせることができるので、配線作業や組み立て作業が簡素化され、組み立て時間も短縮される。
【００２９】
更に、配線ベース体３０にエッジカバー部１４との干渉を回避するための回避孔３２が形成されているので、電動トリマの全高を抑制することができる。特に、回避孔３２をエッジカバー部１４が上方に挿通して該回避孔３２の回りに回路基板３６が配置されているので、回路基板３６をエッジカバー部１４の上面よりも容易に下側に位置させることができて電動トリマの全高寸法を更に抑制することができる。それと共に、回避孔３２の回りに回路基板３６を配置することによって回路基板３６の面積も容易に確保できる。
【００３０】
尚、本実施形態においては回避孔３２を貫通孔としたが切欠状であってもよいし、非貫通のもの、即ち底面部の下面に形成された凹部であってもよい。また、回路基板３６もＹ字状に限らずその形状も種々変更可能である。
【符号の説明】
【００３１】
１    モータ
２    モータケース（本体ハウジング）
３    ヘッドカバー（本体ハウジング）
４    トップカバー
５    ベース
６    モータシャフト
７    軸受け
８    チャック
９    ブラシホルダ
１０    ブラシ
１１    押圧固定ネジ
１２    モータ固定ネジ
１３    軸受け
１４    エッジカバー部
１４ａ  平面部
１５    ネジ
１６    ボス部
２０    操作リング
２１    雌ネジ部
２２    雄ネジ部
２３    環状溝
３０    配線ベース体
３１    外周壁部
３２    回避孔
３３    内周壁部
３３ａ  ガイド壁
３４    スイッチ
３５    電源コード
３６    回路基板
３７    スピードダイヤル
３８    切り替え部
３９    スイッチ操作部材
３９ａ  操作部
３９ｂ  腕部
４０    凹部
４１    板バネ
４２    屈曲部
４３    バネ取付壁
５０    板状部
５１    筒状部
５２    スリット
５３    レバー
５４    フック体
５４ａ  フック部
５５    バネ
６０    配線コード
６１    配線コード
６２    コネクタ
６３    コネクタ
【図１】
2014151397.tif 000003
【図２】
2014151397.tif 000004
【図３】
2014151397.tif 000005
【図４】
2014151397.tif 000006
【図５】
2014151397.tif 000007
【図６】
2014151397.tif 000008
【図７】
2014151397.tif 000009
【図８】
2014151397.tif 000010
【図９】
2014151397.tif 000011
【図１０】
2014151397.tif 000012
【図１１】
2014151397.tif 000013
【図１２】
2014151397.tif 000014